(57)【特許請求の範囲】
【請求項１】
設置状態におけるスピーカーに着脱可能に被せられるスピーカーカバーであって、前記スピーカーの筐体を囲む側面部及びその上方を覆う天面部からなるカバー本体に、前記スピーカーの操作部を露出可能とする開放部が形成され、前記開放部の上方に、前記カバー本体から張り出すひさし部が設けられていることを特徴とするスピーカーカバー。
【請求項２】
前記ひさし部の両側部に、前記開放部の側方で前記カバー本体から張り出す側壁部が前記ひさし部の下面から下方に延びるように設けられていることを特徴とする請求項１記載のスピーカーカバー。
【請求項３】
前記ひさし部は、前記カバー本体から張り出す張り出し姿勢と、前記カバー本体に沿って配置される閉塞姿勢との間で変位可能であり、前記閉塞姿勢のときに前記開放部を閉塞することができる大きさに設けられていることを特徴とする請求項１記載のスピーカーカバー。
【請求項４】
前記ひさし部及び前記側壁部は、前記カバー本体から張り出す張り出し姿勢と、前記カバー本体に沿って配置される閉塞姿勢との間で変位可能であり、前記閉塞姿勢のときに前記ひさし部又は前記側壁部の少なくともいずれかが、あるいは前記ひさし部又は前記側壁部のうちの少なくとも二つを組み合わせたものが、前記開放部を閉塞することができる大きさに設けられていることを特徴とする請求項２記載のスピーカーカバー。
【請求項５】
前記側壁部は前記開放部の幅の半分以上の張り出し長さを有するとともに、前記側壁部の張り出し端の下部を突き合せた状態で前記側壁部の上部と前記ひさし部との間で前記開放部の上部に連通する開口部を形成可能であり、前記側壁部の上端部と前記ひさし部の両側部とに、前記開口部を形成した前記ひさし部と前記側壁部とが係止可能とされていることを特徴とする請求項４記載のスピーカーカバー。
【発明の詳細な説明】
【技術分野】
【０００１】
本発明は、スピーカーを屋外で使用する際等に雨等がコネクタや操作ノブ等の操作部に降りかかることを防止するためにスピーカーに被せて用いられるスピーカーカバーに関する。
【背景技術】
【０００２】
スピーカーは、コーン状等の振動板、これを振動する磁石とコイルとからなるアクチュエータ、振動板の背部から出る音を封じ込めるための筐体等を備えている。このスピーカーを屋外で使用する場合、雨に濡れないようにする必要がある。
特許文献１には防滴型スピーカボックスが開示されている。この防滴型スピーカボックスでは、スピーカケーブルを接続するためのケーブル端子がスピーカボックスの凹部内に配置され、これを覆うカバーがゴム、スポンジ、軟質プラスチック等の弾性体を介して取り付けられており、スピーカボックスのケーブル端子部が雨水等で濡れることがなく、錆の発生や接触不良を確実に防止できると記載されている。
特許文献２には、電子端末機器のスピーカーであるが、合成樹脂の成型品からなる耐水保護ケースに、スピーカユニットを組み込んでなるスピーカーが開示されている。
【先行技術文献】
【特許文献】
【０００３】
【特許文献１】特開平９−２０５６９４号公報
【特許文献２】特開２０１２−１０９７１５号公報
【発明の概要】
【発明が解決しようとする課題】
【０００４】
これら特許文献記載のスピーカボックスや保護ケースは、防滴又は防水仕様のものとして、雨水からスピーカーを保護することが可能であるが、複雑な構造であるとともに、スピーカーが大型になるに伴い、重量物になり易い。また、ボックスやケース自体を防滴又は防水構造としたものであるため、晴天時や防水機能が求められない環境で使用する場合でも、そのボックスやケースを取り外して使用することは想定されていない。
【０００５】
本発明は、このような事情に鑑みてなされたもので、スピーカーに必要に応じて取り付けて、雨等が操作部に降りかかることを防止することができる簡単な構造のスピーカーカバーを提供することを目的とする。
【課題を解決するための手段】
【０００６】
本発明のスピーカーカバーは、設置状態におけるスピーカーに着脱可能に被せられるスピーカーカバーであって、前記スピーカーの筐体を囲む側面部及びその上方を覆う天面部からなるカバー本体に、前記スピーカーの操作部を露出可能とする開放部が形成され、その開放部の上方に、カバー本体の表面より張り出すひさし部が設けられている。
【０００７】
カバー本体は、側面部と天面部とからなる構造であり、底面部を有していないので、スピーカーに上方から被せることができる。この場合、スピーカーにケーブル類を接続した状態であっても、これらが障害となることなくスピーカーに着脱することが可能である。
そして、スピーカーに被せたカバー本体の開放部からスピーカーの操作部を露出させることにより、カバー本体の外側から操作部に対する操作を行うことができる。この開放部の上方にひさし部が設けられているので、操作部が雨等から濡れることを防止することができる。また、スピーカーがアンプ（増幅器）等の電気回路を備える場合、電気回路が発する熱を外部に放出する必要があるが、開放部によりカバー本体の内側空間が外部に開放されるので、スピーカーから放出される熱も開放部から外部に放出することができる。
なお、このひさし部は、開放部の上縁から張り出すように設けてもよいが、カバー本体の天面部を延長するように設けてもよい。
【０００８】
本発明のスピーカーカバーにおいて、ひさし部の両側部に、カバー本体の表面から張り出す側壁部がひさし部の下面から下方に延びるように設けられているとよい。
ひさし部の両側部が側壁部によって下方から支持され、ひさし部を布等の比較的柔軟な素材で形成したとしても、その張り出し姿勢を安定して維持することができる。また、側壁部もひさし部と同様にカバー本体から張り出すので、開放部の三方がひさし部及び側壁部により囲まれた状態となり、開放部の三方からの雨等の侵入を防止することができる。
この側壁部の場合も、開放部の側縁から張り出すように設けてもよいし、開放部の両側方に配置されるカバー本体の側面部を延長するように設けてもよい。
【０００９】
なお、ひさし部は、その張り出し端部から下方に垂れ下がる垂れ下がり部を有していてもよい。垂れ下がり部を有することにより、開放部への雨等の侵入をより確実に防止することができる。
また、垂れ下がり部とは逆に、両側壁部間に、ひさし部の下方で開放部の一部を閉塞する閉塞部がひさし部との間に間隔をあけて設けられていてもよい。
【００１０】
本発明のスピーカーカバーにおいて、ひさし部は、カバー本体から張り出す張り出し姿勢と、カバー本体に沿って配置される閉塞姿勢との間で変位可能であり、閉塞姿勢のときに開放部を閉塞することができる大きさに設けられているとよい。
スピーカーの未使用時等にはひさし部を垂れ下げるように閉塞姿勢として開放部を閉塞しておくことが可能で、塵埃等がスピーカーに付着することを防止するとともに、運搬時等においてスピーカーを保護することができる。
【００１１】
カバー本体に側壁部を有するスピーカーカバーにおいて、ひさし部及び側壁部は、カバー本体から張り出す張り出し姿勢と、カバー本体に沿って配置される閉塞姿勢との間で変位可能であり、閉塞姿勢のときにひさし部又は側壁部の少なくともいずれかが、あるいはひさし部又は側壁部のうちの少なくとも二つを組み合わせたものが、開放部を閉塞することができる大きさに設けられているとよい。
スピーカーの未使用時等にはひさし部及び側壁部を閉塞姿勢とすることにより、開放部を覆った状態とすることができる。
また、ひさし部をカバー本体の表面から張り出したときに、側壁部も張り出した状態とすると、この側壁部によってひさし部を下方から支持することができ、ひさし部の張り出し姿勢を安定して維持することができる。
【００１２】
本発明のスピーカーカバーにおいて、側壁部は開放部の幅の半分以上の張り出し長さを有するとともに、側壁部の張り出し端の下部を突き合せた状態で側壁部の上部とひさし部との間で開放部の上部に連通する開口部を形成可能であり、側壁部の上端部とひさし部の両側部とに、開口部を形成したひさし部と側壁部とが係止可能とされているとよい。
両側壁部を半開き状態に開いて、これらの張り出し端の下部を突き合せ、その上端部とひさし部の両側部との間を係止すると、開放部の前方に両側壁部による水平断面が三角形状の煙突状の空間を形成することができ、その空間の上端部に開口部が形成されるので、スピーカーからの熱を開口部から外部に効果的に放出することができる。
なお、本発明のスピーカーカバーを布地等によって形成する場合、メッシュ構造としてもよいし、水滴をはじく撥水加工素材、防水加工素材で形成してもよく、また、撥水性樹脂をコーティングしておいてもよい。
【発明の効果】
【００１３】
本発明のスピーカーカバーによれば、スピーカーに上方から被せるだけの簡単な作業によりスピーカーを覆うことができ、スピーカーに必要に応じて取り付けて、雨等が操作部に降りかかることを防止することができ、その構造も簡単である。
【図面の簡単な説明】
【００１４】
【図１】本発明のスピーカーカバーが適用されるスピーカーの例を示す正面側斜視図である。
【図２】図１の図ピーカーの背面側斜視図である。
【図３】本発明の第１実施形態のスピーカーカバーをスピーカーに被せた状態を示す背面側斜視図である。
【図４】図３の正面側斜視図である。
【図５】第１実施形態の一変形例を示す背面側斜視図である。
【図６】他の変形例を示す背面側斜視図である。
【図７】第２実施形態のスピーカーカバーをスピーカーに被せた状態を示す背面側斜視図である。
【図８】第２実施形態の一変形例を示す背面側斜視図である。
【図９】他の変形例を示す背面側斜視図である。
【図１０】図９のスピーカーカバーのひさし部を閉塞姿勢として開放部を閉塞した状態を示す背面側斜視図である。
【図１１】第３実施形態のスピーカーカバーをスピーカーに被せた状態を示す背面側斜視図である。
【図１２】第３実施形態の一変形例を示す背面側斜視図である。
【図１３】第４実施形態のスピーカーカバーをスピーカーに被せた状態を示す背面側斜視図である。
【図１４】第５実施形態のスピーカーカバーのひさし部等を閉塞姿勢とした背面側斜視図である。
【図１５】図１４に示す状態からひさし部等を開いている途中の状態を示す背面側斜視図である。
【図１６】図１４のスピーカーカバーのひさし部等を張り出し姿勢とした背面側斜視図である。
【図１７】図１６に示すスピーカーカバーを変形させ、下部を閉じて上部に開口部を形成した状態を示す背面側斜視図である。
【発明を実施するための形態】
【００１５】
以下、本発明の実施形態を図面を参照しながら説明する。
＜スピーカーの例＞
本発明のスピーカーカバーが用いられるスピーカーについて予め説明しておくと、図１及び図２に示すように、このスピーカー１は、全体として直方体状の筐体２の前面２ａに、コーン状の振動板３が設けられるとともに、筐体２の背面２ｂに、各種コネクタ用ジャック４，５、音量調整等のための操作ノブ６、吸気孔７及び排気孔８が配設される。なお、この図１及び図２に示す状態をスピーカー１の設置状態とし、上下方向、左右方向、前後方向は、この設置状態における方向とする。
この筐体２の背面２ｂのジャック等が設けられる部分を操作部９と称し、吸気孔７及び排気孔８も、この操作部９に設けられる。通常は、筐体２の背面２ｂに操作部９が設けられるが、背面２ｂ以外の側面２ｃに設けられる場合や、振動板３が露出する前面２ａで振動板３の下方位置に操作部が設けられる場合もある。本発明では、これら前面２ａ、背面２ｂ、側面２ｃをいずれも側面と称す。
図示例の場合、この筐体２の背面２ｂには、角形の凹部１１が形成されており、この凹部１１内に、操作部９の代表例として、音声ケーブル用ジャック４、電源ケーブル用ジャック５、操作ノブ６、吸気孔７、排気孔８が設けられている。図示は省略するが、筐体２内にはアンプ（増幅器）等が配置され、排気孔８の内側には排気ファンが設けられる。そして、図２に示すように、音声ケーブル用ジャック４及び電源ケーブル用ジャック５に音声ケーブル１２、電源ケーブル１３が接続される。
このようなスピーカー１に用いられるスピーカーカバーとして、以下に示す各実施形態のものを適用することができる。
【００１６】
＜第１実施形態＞
第１実施形態のスピーカーカバーは、スピーカー１の筐体２を囲む直方体状の外形を有するカバー本体の一つの側面部に、操作部９を露出する開放部が形成され、その開放部の上縁及び側縁に、ひさし部及び側壁部を張り出して形成した形態である。以下、これらを詳述する。
図３及び図４は、この第１実施形態のスピーカーカバー２１の典型を示しており、スピーカー１の筐体２を囲む直方体状の外形を有するカバー本体２２に、スピーカー１の操作部９を露出する開放部２３が形成され、その開放部２３の上縁にひさし部２４が張り出して形成され、開放部２３の両側縁に側壁部２５がそれぞれ張り出して形成されている。この場合、ひさし部２４及び側壁部２５は、同じ張り出し長さに形成されているが、異なる長さに形成してもよい。
これらカバー本体２２、ひさし部２４及び側壁部２５は、布状又は板状の素材により形成される。その布状又は板状の素材は、特に限定されるものではないが、例えば、ポリエステル等の合成樹脂からなる繊維を織って布状等に構成したものであり、ポリ塩化ビニール等の防水コーティングが施されている。
【００１７】
カバー本体２２は、スピーカー１の筐体２の四方を囲む側面部２２ａ，２２ｂと、その上方を覆う天面部２２ｃとから形成され、底面を有しないので、スピーカー１に上方から被せることができる。
カバー本体２２に設けられる開放部２３は、一つの側面部（背面部）２２ｂの上端部、両側部を残して大部分を下端まで切除するように形成されている。そして、ひさし部２４及び両側壁部２５は側面部２２ｂから外側に張り出しており、ひさし部２４の両側端に側壁部２５の上端が接続されている。これにより、これらひさし部２４及び両側壁部２５が、開放部２３の下方を除く三方を囲むフードとしての機能を有している。
図３及び図４では、ひさし部２４及び両側壁部２５は、側面部２２ｂから直角に張り出した例を示したが、必ずしも直角でなくても外側に張り出していればよい。また、開放部２３の形状は四角形として図示しているが、操作部９を露出できる形状であれば四角形でなくてもよい。そして、ひさし部２４も図示例の平板状のものだけでなく、切妻状に山形の形状をしたものとしてもよいし、円弧板状に湾曲形成して、両側壁部とひさし部とでアーチ状に連続的に形成されるものとしてもよい。
なお、このスピーカーカバー２１を構成する素材は、衝撃等からスピーカー１を保護するためには、厚地のものが好ましい。ただし、開放部２３に対して反対側の側面部２２ａである前面部は、このカバー本体２２をスピーカー１に被せた際に振動板３が配置される面になるので、振動板３からの放音を妨げないように、素材の厚さを小さくするか、メッシュ地等によって形成するのが好ましい。
【００１８】
このスピーカーカバー２１をスピーカー１に被せる際に、開放部２３をスピーカー１の操作部９に合わせた状態で被せることにより、開放部２３にスピーカー１の操作部９が露出し、その三方がひさし部２４及び両側壁部２５によって囲まれた状態となる。スピーカー１には、前述したように音声ケーブル１２、電源ケーブル１３が接続されているが、開放部２３はカバー本体２２の下端まで達しているので、スピーカー１に被せる際にこれらケーブル１２，１３がカバー本体２２に干渉することはない。
そして、このスピーカーカバー２１によってスピーカー１を覆った状態とすることにより、スピーカー１の操作部９がひさし部２４及び側壁部２５により三方から囲まれた状態となり、屋外等で使用する場合にも雨等が操作部９に降りかかることを防止することができる。もちろん、操作部９が開放部２３によって露出状態とされるので、各種操作に支障をきたすことはない。また、吸気孔７及び排気孔８も開放されるので、スピーカー１の筐体２からの放熱を妨げることもない。したがって、ケーブル１２，１３を接続した状態のままでもスピーカーカバー２１をスピーカー１に着脱することができる。
【００１９】
＜第１実施形態の変形例＞
第１実施形態のカバー本体２２の開放部２３にひさし部２４及び側壁部２５を有するスピーカーカバー２１において、図５又は図６に示す構造とすることも可能である。なお、これらの図では、図３及び図４に示すスピーカーカバーと異なる部分にのみ、新たな符号を付している。
図５に示す一変形例のスピーカーカバー３１には、開放部２３の下端部に、カバー本体２２が広がらないように、開放部２３の両側縁間を連結するバンド３２が設けられている。このバンド３２は、開放部２３の下端部に細幅で設けられる限りは開放部２３の両側縁間を連結状態に維持しておいてもよいが、図示したように、長さの調整が可能なように、長さ方向の途中にバックル等の長さ調整部３３を設けることも可能である。また、左右二つに分けて先端部間を連結可能にするファスナー等を設けてもよい。
図６に示す他の変形例のスピーカーカバー３５は、ひさし部２４の張り出し端に、下方に垂直に伸びる垂れ下がり部２６が一体に設けられている。また、この垂れ下がり部２６は、両側壁部２５の上端部間を連結するように設けられており、これにより、ひさし部２４及び両側壁部２５が不用意に広がらないようにされる。また、この垂れ下がり部２６を有することで、張り出し長さを大きくすることなく、雨等が操作部９に降りかかることを防止する効果を高めることができる。
【００２０】
以上の図３〜図６に示すスピーカーカバー２１，３１，３５は、いずれもカバー本体２２が四方に側面部２２ａ，２２ｂを有し、その一つの側面部（背面部）２２ｂの上端部と両側部を除く中央部分に開放部２３を形成したが、一つの側面部（背面部）２２ｂにおいて、その上端部のみを残して他の部分を開放部２３とし、カバー本体２２の両側の側面部２２ａを後方に延長するようにひさし部２４下方の側壁部２５を側面部２２ａと面一に連続して形成する、あるいは、一つの側面部（背面部）２２ｂにおいて、両側部のみを残して他の部分を開放部２３とし、カバー本体２２の天面部２２ｃを延長するように天面部２２ｃとひさし部２４とを面一に連続して形成する、あるいは、その側面部（背面部）をなくして、そのすべてを開放部２３とし、カバー本体２２の天面部２２ｃとひさし部２４とを面一に連続して形成するとともに、カバー本体２２の両側の側面部２２ａとひさし部２４下方の側壁部２５とも面一に連続して形成する、という変形例とすることも可能である。  これら変形例のうち、カバー本体２２の両側の側面部２２ａとひさし部２４下方の側壁部２５とを連続して面一に形成した場合は、カバー本体２２の四方のうちの一方が全幅にわたって開放状態となるので、スピーカー１に上方から被せることが容易になる。
【００２１】
＜第２実施形態及びその変形例＞
第１実施形態ではひさし部２４に連続して側壁部２５が設けられていたが、この第２実施形態のスピーカーカバーはひさし部のみ設けられた形態である。以下、その変形例も含めて詳述する。
図７に示すスピーカーカバー４１は、カバー本体２２の開放部２３には、その上端から張り出すひさし部２４のみが水平に張り出した状態で設けられている。
図８に示すスピーカーカバー４２では、水平に張り出したひさし部２４の張り出し端に垂れ下がり部２６が下方に垂直に延びるように設けられている。
これら図７及び図８に示すスピーカーカバー４１，４２では、ひさし部２４の下方に側壁部を有していないので、カバー本体２２及びひさし部２４の材料あるいは構造としては、ひさし部２４を自立させ得る剛性を有するものが用いられる。
このようにカバー本体２２の開放部２３の上端にひさし部２４のみが張り出す構造であっても、風が弱く、真上から降ってくる通常の雨等に対しては、操作部９を濡らすことなく、有効に保護することができる。
このひさし部２４の下方に側壁部を有さずにひさし部２４のみを有する実施形態において、ひさし部２４をカバー本体２２の側面部２２ｂの全幅にわたって形成することにより、ひさし部２４を有する側面部２２ｂをカバー本体２２の上端部のみに残し、ひさし部２４より下方を開放部２３とすることもできる。
【００２２】
また、ひさし部を柔軟な布地によって構成する場合は、未使用時は、開放部２３を閉塞するように垂れ下がった状態となる。これをロール状に巻き上げて開放部２３の上端に保持することにより、そのロール状に巻いた状態のものをひさし部として機能するように構成してもよい。
そのようなスピーカーカバーの一例を図９及び図１０に示す。このスピーカーカバー４５は、未使用時は、図１０に示されるように、カバー本体２２の側面部２２ｂの一部を構成するように開放部２３を閉塞するカーテン４７Ａとして機能し、使用時は、図９に示されるように、ロール状に巻き上げた状態で開放部２３の上端に面ファスナー等の留め具４８によって保持されることにより、ひさし部４７Ｂとして機能させるものである。
【００２３】
また、ロール状に巻き上げる代わりに、カーテン４７Ａを二つ折り又は三つ折り等に折り畳んだ状態として開放部２３の上端に面ファスナー等の留め具によって保持することにより、その折り畳んだものをひさし部として機能させてもよい。このようなロール状としたひさし部や折り畳んだ状態のひさし部が垂れ下がらないように、着脱可能な留め具４８や紐等を用いてひさし部をカバー本体２２に固定するとよい。面ファスナーや紐等に替えて、金属、剛性樹脂等からなる棒状部材の一端を開放部２３の両側縁に固定し、棒状部材の他端をひさし部の張り出し端部に係止するなどにより、ひさし部を張り出し姿勢に保持する構成としてもよい。
また、図１０に示すように開放部２３を閉塞した閉塞状態を保持するために、垂れ下げたひさし部（カーテン４７Ａ）の両側縁とカバー本体２２の側面部２２ｂの内側縁との間にファスナー等の留め具を設けてもよい。
本発明では、このように、ひさし部をカバー本体から張り出す張り出し姿勢と、カバー本体に沿って垂れ下げて配置した閉塞姿勢との間で変位可能としたものも含んでおり、その場合に、ひさし部を閉塞姿勢としたときにカバー本体の開放部を閉塞することができる大きさに設けるとよい。
【００２４】
＜第３実施形態＞
第３実施形態のスピーカーカバーは、ひさし部の両側端にカバー本体の下端までは届かないが開放部の半分程度の長さの側壁部が設けられた形態である。
図１１に示すスピーカーカバー５１は、ひさし部２４の両側端と、開放部２３の上部における両側縁との間を連結するように三角形状の側壁部５２が設けられている。
図１２に示すスピーカーカバー５３では、ひさし部２４の張り出し端に垂れ下がり部２６が垂直に連結されており、側壁部５２は、ひさし部２４及び垂れ下がり部２６の両側端と開放部２３の両側縁の上部との間を連結している。
いずれのスピーカーカバー５１，５３においても、開放部２３の下部には側壁部がなく、吸気孔７への周辺からの空気の流れを良好に確保することができる。
なお、この第３実施形態のスピーカーカバーにおいても、ひさし部２４をカバー本体２２の側面部２２ｂの全幅にわたって形成することにより、ひさし部２４を有する側面部２２ｂをカバー本体２２の上端部のみに残し、側壁部５２をカバー本体２２の側面部２２ａから連続して面一に形成してもよい。
【００２５】
＜第４実施形態＞
第４実施形態のスピーカーカバーは、第１実施形態のスピーカーカバーを基本としながら、両側壁部の下部間を連結する前壁部が設けられた形態である。
図１３に示すスピーカーカバー６１は、図３及び図４に示すスピーカーカバー２１に対して、その両側壁部２５の下部間を連結する閉塞部６２が設けられており、閉塞部６２とひさし部２４との間に開口部６３が形成されている。底面部は開放状態であるため、スピーカー１の吸気孔７への吸気、及び排気孔８から開口部６３を経由する排気は阻害されない。
この図１３に示すスピーカーカバー６１に対して、ひさし部２４の張り出し端から垂直に垂れ下がり部２６を連結してもよく、この場合、垂れ下がり部２６と閉塞部６２との間が開口部６３となる。
さらに、両側壁部２５をカバー本体２２の両側面部２２ａを延長するように面一に配置し、ひさし部２４をカバー本体２２の側面部２２ｂの全幅にわたって形成することにより、開口部６３をカバー本体２２の側面部２２ｂの全幅にわたって形成するようにしてもよい。
【００２６】
＜第５実施形態＞
図１４〜図１７には第５実施形態のスピーカーカバーを示している。この第５実施形態のスピーカーカバー７１においては、カバー本体２２に設けられているひさし部２３及び側壁部２５が、複数の姿勢に変位できるようになっている。図１４はひさし部２４及び側壁部２５をカバー本体２２の側面部２２ｂに沿って配置して開放部２３を閉塞した閉塞姿勢を示している。図１５は閉塞姿勢からひさし部２４及び側壁部２５を張り出す途中の状態を示しており、図１６はひさし部２４及び側壁部２５をカバー本体２２の側面部２２ｂから外側に張り出した張り出し姿勢を示している。
【００２７】
これらの一連の図からわかるように、両側壁部２５の張り出し長さ（幅方向長さ）は、カバー本体２２の側面部２２ｂに形成される開放部２３の幅の半分以上に形成されており、図１４に示すように閉塞姿勢としたときに、両側壁部２５の張り出し端部どうしが重なるようになっている。両側壁部２５の張り出し長さは開放部２３の幅の半分より大きく形成されることが好ましい。ひさし部２４は、開放部２３の幅以上の幅に形成されており、図１４の閉塞姿勢においては、開放部２３を閉じた両側壁部２５の上から重なるように配置される。ひさし部２４の幅は開放部２３の幅より大きく形成されることが好ましい。この場合、このスピーカーカバー７１は布状素材など、両側壁部２５等が自立できる程度の強度を有する素材からなり、ひさし部２４の両側部２４ａの内面及び両側壁部２５の先端部（張り出し端部）の内面には、布状素材に係脱可能な面ファスナー等の留め具７２が設けられており、閉塞姿勢を保持できるようになっている。
【００２８】
そして、ひさし部２４及び側壁部２５を張り出し姿勢としたときには、図１６に示すように、両側壁部２５が開放部２３の側縁に外側に配置されるとともに、ひさし部２４が両側壁部２５の上端に覆い被さるように配置され、ひさし部２４の両側部２４ａを各側壁部２５の外側に折り曲げた状態とし、両側部２４ａ内面の留め具７２を側壁部２５の外面に係止する。これにより、両側壁部２５が広がることを防止することができる。なお、ひさし部２４の両側部２４ａの外面に側壁部２５を係止するようにしてもよい。
そして、図１７は、図１６に示す張り出し姿勢から、両側壁部２５の張り出し端の下部どうしを留め具７２によって突き合せ状態に保持し、その張り出し端の上部とひさし部２４とにより開口部７３を形成した状態を示している。この図１７に示す状態とすることにより、カバー本体２２の開放部２３の前方に、両側壁部２５により周囲を囲まれた上下方向に沿う空間が開口部７３まで形成され、スピーカー１の排気孔８からの排気を開口部７３を経由して外方に円滑に排出することができる。
なお、ひさし部２４に両側部２４ａを設けたが、各側壁部２５のひさし部２４と対向する辺に側部を設け、この各側壁部２５の側部を内側に折り曲げた状態にて、各側部がひさし部２４を下方から支える、あるいは留め具によりひさし部２４を上方から係止する構造であってもよい。
【００２９】
なお、本発明は上記実施形態に限定されるものではなく、本発明の趣旨を逸脱しない範囲において種々の変更を加えることが可能である。
例えば、図３等に示す第１実施形態、あるいは図１４等に示す第５実施形態の側壁部２５は、必ずしもカバー本体の下端まで到達する長さでなくてもよく、カバー本体の下端よりも若干短い長さであってもよい。特に、第５実施形態のスピーカーカバーにおいては、図１７に示すように側壁部を閉じた状態で形成される煙突状の空間の下部も外部に対して開放状態となり、空気をより円滑に流すことができる。
また、図５ではバンド３２を取り付けた例を示したが、側壁部の下端部を細幅で分離できるように構成し、その先端に面ファスナー等の留め具を配設し、これをバンドとして用いてもよい。
また、この留め具あるいは第５実施形態でも留め具を用いたが、バンドあるいは側壁部やひさし部が係止できる構成であれば、留め具は必ずしも必要ではない。
さらに、カバー本体の一部にケーブル類等の小物類を収容可能なポケットを設けておいてもよい。
【符号の説明】
【００３０】
１…スピーカー、２…筐体、３…振動板、６…操作ノブ、７…吸気孔、８…排気孔、９…操作部、１２…音声ケーブル、１３…電源ケーブル、２１…スピーカーカバー、２２…カバー本体、２２ａ…側面部、２２ｂ…側面部、２２ｃ…天面部、２３…開放部、２４…ひさし部、２４ａ…両側部、２５…側壁部、２６…垂れ下がり部、３１…スピーカーカバー、３２…バンド、３３…調整部、３５，４１，４２，４５…スピーカーカバー、４７Ａ…カーテン、４７Ｂ…ひさし部、５１…スピーカーカバー、５２…側壁部、５３，６１…スピーカーカバー、６２…閉塞部、６３…開口部、７１…スピーカーカバー、７２…留め具、７３…開口部
【図１】
0006417801.tif 000002
【図２】
0006417801.tif 000003
【図３】
0006417801.tif 000004
【図４】
0006417801.tif 000005
【図５】
0006417801.tif 000006
【図６】
0006417801.tif 000007
【図７】
0006417801.tif 000008
【図８】
0006417801.tif 000009
【図９】
0006417801.tif 000010
【図１０】
0006417801.tif 000011
【図１１】
0006417801.tif 000012
【図１２】
0006417801.tif 000013
【図１３】
0006417801.tif 000014
【図１４】
0006417801.tif 000015
【図１５】
0006417801.tif 000016
【図１６】
0006417801.tif 000017
【図１７】
0006417801.tif 000018